(57)【要約】【課題】ディスプレイパネルの駆動時に発生できるチャネル干渉現象による輝度変化を效率的に補償でする方法を提供し、安定したディスプレイ動作を遂行できるようにする装置の提供を課題とする。【解決手段】外部の画面メモリから選択されたスキャンラインの画素データを取得し、該画素データを合算し、前記スキャンラインに発生しうるチャネル干渉を補償するための補償時間を検出し、駆動電流の放電時間及び最大増幅時間のいずれかを調整し、補償時間が格納されているルックアップテーブルを検索する。【選択図】図１
2007293330.tif 000002
【特許請求の範囲】
【請求項１】
外部の画面メモリから選択されたスキャンラインの画素データを取得する段階；  
上記取得された画素データを合算し、該合算値を用いて上記選択されたスキャンラインに発生しうるチャネル干渉を補償するための補償時間を検出する段階；及び  
上記検出された補償時間によって各データラインに出力される駆動電流の放電時間及び最大増幅時間のうち少なくともいずれか一つを調整する段階を含み、  
上記補償時間検出段階は、上記画素データ等の合算値を用いて上記スキャンラインが有することができる画素データの合算値による補償時間が格納されているルックアップテーブルを検索することを特徴とするディスプレイ装置のチャネル干渉補償方法。  
【請求項２】
外部の画面メモリから選択されたスキャンラインの画素データを取得する段階；  
上記取得された画素データを合算する段階；  
上記合算値を介して上記選択されたスキャンラインで発生できるチャネル干渉による損失を補償できる補償エネルギを算出する段階；  
上記算出された補償エネルギに対応する補償時間を検出する段階；及び  
上記検出された補償時間によって各データラインに出力される駆動電流の放電時間及び最大増幅時間のうち少なくともいずれか一つを調整する段階を含むことを特徴とするディスプレイ装置のチャネル干渉補償方法。  
【請求項３】
第２項において、  
上記補償エネルギ算出段階は、  
上記選択されたスキャンラインに連結された画素を上記合算値に対応される輝度に駆動させるための理想的なエネルギ値及び上記選択されたスキャンラインに連結された画素を上記合算値に対応される輝度に駆動させることができる実際測定エネルギ値を各々検出する段階；及び  
上記検出された２つのエネルギ値を差し引く段階を含むことを特徴とするディスプレイ装置のチャネル干渉補償方法。  
【請求項４】
第２項において、  
上記調整段階で上記調整される駆動電流の放電時間は、既設定された基準放電時間で上記補償時間を差し引いた時間に対応されることを特徴とするディスプレイ装置のチャネル干渉補償方法。  
【請求項５】
第２項において、  
上記調整段階で上記調整される駆動電流の最大増幅時間は、既設定された基準最大増幅時間で上記補償時間を加えた時間に対応されることを特徴とするディスプレイ装置のチャネル干渉補償方法。  
【請求項６】
ディスプレイパネルのデータラインに供給される駆動電流を制御するデータ信号駆動制御装置において、  
上記ディスプレイパネルの選択されたスキャンラインに表示される画素データを取得して合算するデータ合算部；  
上記ディスプレイパネルのスキャンラインが有することができる画素データの合算値に対応される補償時間情報が格納されているルックアップテーブル；及び  
上記ルックアップテーブルを検索し、上記データ合算部によって合算された合算値に対応される補償時間を検出し、上記検出された補償時間を反映して上記データラインに供給される駆動電流の放電区間及び最大増幅区間のうち少なくともいずれか一つを調整するデータ制御ロジック部を含むことを特徴とするデータ信号駆動制御装置。  
【請求項７】
第６項において、  
上記データ合算部は、上記スキャンラインに表示される画素データを上記ディスプレイパネルの画面メモリから取得することを特徴とするデータ信号駆動制御装置。  
【請求項８】
ディスプレイパネルのデータラインに供給される駆動電流を制御するデータ信号駆動制御装置において、  
上記ディスプレイパネルの選択されたスキャンラインに表示される画素データを取得して合算するデータ合算部；  
上記ディスプレイパネルのスキャンラインが有することができる画素データの合算値に対応される補償時間情報を提供する補償時間提供部；及び  
上記データ合算部によって合算された合算値に対応される補償時間を上記補償時間提供部から提供され、上記補償時間を反映して上記データラインに供給される駆動電流の放電区間及び最大増幅区間のうち少なくともいずれか一つを調整するデータ制御ロジック部を含み、  
上記補償時間提供部は、上記スキャンラインで発生できるチャネル干渉による損失を補償できる補償エネルギを算出し、上記算出された補償エネルギに対応する補償時間を提供することを特徴とするデータ信号駆動制御装置。  
【請求項９】
第８項において、  
上記データ合算部は、上記スキャンラインに表示される画素データを上記ディスプレイパネルの画面メモリから取得することを特徴とするデータ信号駆動制御装置。  
【請求項１０】
第８項において、  
上記補償エネルギは、特定スキャンラインに連結された画素を所定の輝度に駆動させるための理想的なエネルギ値及び上記特定スキャンラインに連結された画素を上記輝度に駆動させることができる実際測定エネルギ値を各々検出し、上記検出された２つのエネルギ値を差し引いて算出することを特徴とするデータ信号駆動制御装置。  
【請求項１１】
第８項において、  
上記データ制御ロジック部は、上記放電区間を既設定された放電時間に上記補償時間を差し引いた時間に調整することを特徴とするデータ信号駆動制御装置。  
【請求項１２】
第８項において、  
上記データ制御ロジック部は、上記最大増幅区間を既設定された最大増幅時間に上記補償時間を加えた時間に調整することを特徴とするデータ信号駆動制御装置。  
【発明の詳細な説明】
【技術分野】
【０００１】
本発明はディスプレイ装置のチャネル干渉補償方法及びデータ信号駆動制御装置に関し、より詳しくは、ディスプレイパネルの駆動時に発生できるチャネル干渉現象を、それぞれのスキャンライン別に放電区間または最大増幅区間の時間を制御して補償できるディスプレイ装置のチャネル干渉補償方法と、これと関連したデータ信号駆動制御装置に関するものである。
【背景技術】
【０００２】
最近、自発光素子を用いた発光装置及びこれを画素として使用する発光ディスプレイ装置の開発が活発に進行されている。ここにおいて、自発光素子は、有機材料、無機材料、薄膜材料、バルク材料、分散材料などのような広範囲な材料を使用して多様な形態の構成が可能である。  
【０００３】
このような自発光素子のうち最も代表的なものの一つが有機発光ダイオード（ＯＬＥＤ：Ｏｒｇａｎｉｃ  Ｌｉｇｈｔ  Ｅｍｉｔｔｉｎｇ  Ｄｉｏｄｅ、有機ＥＬともいう、以下、ＯＬＥＤと略称する）素子である。上記ＯＬＥＤ素子を発光画素として使用したＯＬＥＤディスプレイ装置は、既存の液晶ディスプレイ装置（ＬＣＤ：Ｌｉｑｕｉｄ  Ｃｒｙｓｔａｌ  Ｄｉｓｐｌａｙ）以上の薄型化及び軽量化が可能であるだけでなく、動画像ディスプレイに適した高応答速度、高視野角、低電圧駆動などの特徴を有するため、携帯電話や携帯情報端末機（ＰＤＡ）をはじめとしてテレビ、モニタなど幅広い用途に適用できる次世代ディスプレイ装置として注目されている。  
【０００４】
図１は、通常的な受動型（ＰＭ：Ｐａｓｓｉｖｅ  Ｍａｔｒｉｘ）ＯＬＥＤディスプレイ装置が有する基本構造を示す回路図であって、ＯＬＥＤディスプレイパネル及びその駆動回路の構成を示している。  
【０００５】
図１を参照すれば、ＯＬＥＤディスプレイパネル（１０）は、多数のスキャンライン（Ｓ１〜Ｓｍ）と多数のデータライン（Ｄ１〜Ｄｎ）がマトリクス状に交差配列される。このとき、それぞれのスキャンライン（Ｓ１〜Ｓｍ）とデータライン（Ｄ１〜Ｄｎ）の交差点には発光素子であるＯＬＥＤ素子（以下、画素という）（Ｐ）が設けられ、各画素（Ｐ）の陽極はデータライン（Ｄ１〜Ｄｎ）に連結され、画素（Ｐ）の陰極はスキャンライン（Ｓ１〜Ｓｍ）に連結される。ここで各画素（Ｐ）は発光ダイオード及び寄生キャパシタが並列連結された回路であって等価的に表現されることができる。  
【０００６】
スキャン駆動部（３０）は、外部から印加されるｍビットのスキャン信号に応答してｍ個のスキャンライン（Ｓ１〜Ｓｍ）を順次駆動する。上記スキャン駆動部（３０）は、それぞれのスキャンライン（Ｓ１〜Ｓｍ）に連結されたｍ個のスキャン駆動回路（ＳＣ１〜ＳＣｍ）を備える。このとき、各スキャン駆動回路（ＳＣ１〜ＳＣｍ）は自身に対応されたビットのスキャン信号に応答して該当スキャンラインを電源端（Ｖｃｃ）（１６）と接地端（Ｇｒｏｕｎｇ）（１２）のうちいずれか一つでスイッチング（Ｓｗｉｔｃｈｉｎｇ）する。  
【０００７】
また、データ駆動部（２０）は、外部から印加されるｎ個のデータ信号に応答してｎ個のデータライン（Ｄ１〜Ｄｎ）にデータを出力する。上記データ駆動部（２０）はそれぞれのデータライン（Ｄ１〜Ｄｎ）に連結されたｎ個のデータ駆動回路（ＤＣ１〜ＤＣｎ）を備え、各データ駆動回路（ＤＣ１〜ＤＣｎ）は自身に対応されたビットのデータ信号に応答して該当データライン（Ｄ１〜Ｄｎ）に駆動電流を供給する。  
【０００８】
このとき、各データ駆動回路（ＤＣ１〜ＤＣｎ）に連結された画素（Ｐ）のうちスキャン駆動回路（ＳＣ１〜ＳＣｍ）が接地端（１２）に連結された一つの画素（Ｐ）にだけ画素駆動電流が流れるようになり、これに伴い該当画素（Ｐ）は発光する。反面、スキャン駆動回路（ＳＣ１〜ＳＣｍ）が電源端（１６）に連結された画素（Ｐ）は駆動電流が流れないため発光しない。  
【０００９】
従って、ＯＬＥＤディスプレイパネル（１０）は接地端（１２）に連結されるスキャンライン（Ｓ２）、すなわち、活性化（Ｅｎａｂｌｅ）されたスキャンライン単位に画素（Ｐ）が発光し、スキャンライン（Ｓ１〜Ｓｍ）が順次活性化されることによって一つのフレームがディスプレイされるようになる。  
【００１０】
このとき、上記画素（Ｐ）の発光輝度は画素（Ｐ）を介して流れる電流の総量に比例するようになる。これを数式で表現すれば、数１の通りである。  
【数１】
2007293330.tif 000003
Ｂｐ  ∝  Ｉｄ  ×  Ｉｔ  
Ｂｐ：画素の発光輝度  
Ｉｄ：データ駆動部で供給される電流  
Ｉｔ：駆動時間  
【００１１】
一方、このようなＯＬＥＤディスプレイ装置でそれぞれの画素は寄生キャパシタンスを有するため、駆動電流が供給されても定まれている駆動時間内に充分な信号レベルまで迅速に到達できない問題がある。従って、特許文献１、特許文献２等には増幅されたレベルの駆動電流を一定時間の間画素として供給することによって、所望の輝度まで速かに到達できるようにする技術を開示している。  
【特許文献１】日本国特開１９９９−２３１８３４号
【特許文献２】韓国登録特許第４３７４７７号
【００１２】
図２は上記開示された従来技術によるＯＬＥＤディスプレイ装置を示す回路図であって、データ駆動回路（４０）の構成及びそれによる動作原理を示している。  
【００１３】
図２を参照すれば、データ駆動回路（４０）は画素データを格納するデータレジスタ（４１）及び駆動電流を出力するデータ信号駆動回路（４２）を備える。  
【００１４】
上記データ信号駆動回路（４２）は放電駆動回路（４３）、最大増幅駆動回路（４５）及びデータ区間駆動回路（４７）からなる。このとき、放電駆動回路（４３）、最大増幅駆動回路（４５）及びデータ区間駆動回路（４７）のうちいずれか一つはデータ制御ロジック（５０）により制御されるスイッチ（４６）によってデータライン（Ｓ）と連結されることができる。
【００１５】
図３は、このようなデータ区間駆動回路（４７）によって出力される駆動電流の変化を示すグラフであって、単位スキャンライン活性期間（Ｓｃａｎ  Ｌｉｎｅ  Ａｃｔｉｖｅ  Ｐｅｒｉｏｄ）の間変化するデータ駆動回路（４０）の出力信号を示している。ここで、単位スキャンライン活性期間とは画素を発光させるためにスキャンラインが活性化される単位時間を意味する。  
【００１６】
図３を参照すれば、単位スキャンライン活性期間の間スキャン駆動回路（ＳＣ）の電圧は接地端（１２）に連結されるためローレベル（Ｌｏｗ  Ｌｅｖｅｌ）になる。このような単位スキャンライン活性期間はデータ駆動回路（４０）の動作状態によって大きく３つの区間に区分されることができる。すなわち、放電区間（Ｄｉｓｃｈａｒｇｅ  Ｐｅｒｉｏｄ、フリーチャージ区間ともいう）、最大増幅区間（Ｐｅａｋ  Ｂｏｏｓｔ  Ｐｅｒｉｏｄ）、データ区間（Ｄａｔａ  Ｐｅｒｉｏｄ）である。  
【００１７】
放電区間は駆動させるスキャンライン（Ｄ）に存在する以前の充電電荷を放電させて基準状態の電流レベルに作る区間であり、最大増幅区間は画素（Ｐ）が早い時間内にデータ値に近い輝度に発光できるようにデータ値より１〜１０倍より高い電流を供給する区間である。また、データ区間は画素（Ｐ）が与えられたデータ値に該当する輝度に発光できるように画素（Ｐ）に電流を供給する区間である。  
【００１８】
このような放電区間、最大増幅区間及びデータ区間は、放電駆動回路（４３）、最大増幅駆動回路（４５）及びデータ区間駆動回路（４７）がデータ制御ロジック（５０）により制御されるスイッチ（４６）を介して順次選択されることによって遂行できる。このとき、上記放電駆動回路（４３）はツェナーダイオードなどを介して具現されることができ、最大増幅駆動回路（４５）及びデータ区間駆動回路（４７）は各々適切な電流スコープを有する電圧源（Ｖｏｌｔａｇｅ  Ｓｏｕｒｃｅ）または電流源（Ｃｕｒｒｅｎｔ  Ｓｏｕｒｃｅ）などで各々構成されることができる。  
【００１９】
一方、実際ＰＭ  ＯＬＥＤディスプレイの駆動における全てのチャネルの電流は、各ピクセルを経て一つのスキャンラインを介して流れるが、このとき、スキャンのｏｎ抵抗及び連結導線抵抗による電圧降下が発生し、電圧降下は全体チャネルの電流の総和に比例して示される。すなわち、実際ディスプレイ駆動において全体電流の和が大きいほど電圧降下が大きくなり、従って、実際ピクセルに流れる電流は電圧降下だけの電流をさらに流れなければ、電圧降下がない時のような電流が流れないようになる。このようにチャネルの全体電流量により各ピクセルの輝度が変化するようになる現象をチャネルクロストーク（Ｃｈａｎｎｅｌ  Ｃｒｏｓｓｔａｌｋ）またはチャネル干渉（Ｃｈａｎｎｅｌ  Ｉｎｔｅｒｆｅｒｅｎｃｅ、以下では"チャネル干渉"と通称する）現象という。  
【００２０】
このようなチャネル干渉現象を最小化するために従来には次のようないくつかの方法を使用した。  
【００２１】
第一は、スキャン駆動回路のスイッチングトランジスタ（Ｓｗｉｔｃｈｉｎｇ  Ｔｒａｎｓｉｓｔｏｒ）の導通抵抗（Ｏｎ  Ｒｅｓｉｓｔａｎｃｅ）を最小化する方法である。
【００２２】
すなわち、スキャン駆動回路のスイッチングトランジスタの導通抵抗をできる限り小さくして干渉現象により発生する抵抗による駆動電流の減少を最小化することである。このためにはスキャン駆動回路のスイッチトランジスタの大きさを大きくしなければならないが、これは駆動ＩＣの大きさを増加させる問題があり、パネル上の連結導線による干渉現象に対しては補償にならない問題点を有する。  
【００２３】
第二は、連結導線による電圧降下だけの電圧を放電レベル（Ｄｉｓｃｈａｒｇｅ  Ｌｅｖｅｌ）で補償する方式である。すなわち、追加に引き上げるべき電圧を放電レベルで予め引き上げる方式であるが、このような方案が可能であるためには微細な水準の電圧を発生させるためのオペアンプ（ＯＰ−ＡＭＰ：Ｏｐｅｒａｔｉｏｎａｌ  Ａｍｐｌｉｆｉｅｒ、以下、ＯＰ−ＡＭＰと略称する）を具現すべきである。然しながら、このようなＯＰ−ＡＭＰ具現のためにはＯＰ−ＡＭＰの性能を左右するオフセット（Ｏｆｆｓｅｔ）電圧を非常に小さく設計すべきであり、これは結局、ＯＰ−ＡＭＰに追加面積を必要とするという意味であるため、大きさの増加だけでなく、電力消費も増加するようになる。  
【発明の開示】
【発明が解決しようとする課題】
【００２４】
本発明はこのような問題点を解決するためのものであり、ディスプレイパネルの駆動時に発生できるチャネル干渉現象による輝度変化を效率的に補償できるディスプレイ装置のチャネル干渉補償方法を提供することに本発明の第１の目的がある。  
【００２５】
また、ディスプレイパネルの駆動時にチャネル干渉現象によって発生される画素の輝度変化を補償することによって安定したディスプレイ動作を遂行することができるようにするディスプレイ装置のデータ信号駆動制御装置を提供することに本発明の第２の目的がある。  
【課題を解決するための手段】
【００２６】
このような本発明の第１目的を達成するための本発明によるディスプレイ装置のチャネル干渉補償方法は、外部の画面メモリから選択されたスキャンラインの画素データを取得する段階；上記取得された画素データを合算し、上記合算値を用いて上記選択されたスキャンラインに発生できるチャネル干渉を補償するための補償時間を検出する段階；及び上記検出された補償時間によって各データラインに出力される駆動電流の放電時間及び最大増幅時間のうち少なくともいずれか一つを調整する段階を含む。このとき、上記補償時間検出段階では上記画素データの合算値を用い、上記スキャンラインが有することができる画素データの合算値による補償時間が格納されているルックアップテーブル（ｌｏｏｋ−ｕｐ  ｔａｂｌｅ）を検索することによって補償時間を検出できる。  
【００２７】
上述した本発明の第１目的を達成するための本発明による他のディスプレイ装置のチャネル干渉補償方法は、外部の画面メモリから選択されたスキャンラインの画素データを取得する段階；上記取得された画素データを合算する段階；上記合算値を介して上記選択されたスキャンラインで発生できるチャネル干渉による損失を補償できる補償エネルギを算出する段階；上記算出された補償エネルギに対応する補償時間を検出する段階；及び上記検出された補償時間によって各データラインに出力される駆動電流の放電時間及び最大増幅時間のうち少なくともいずれか一つを調整する段階を含む。  
【００２８】
上記補償エネルギ算出段階は、上記選択されたスキャンラインに連結された画素を上記合算値に対応される輝度に駆動させるための理想的なエネルギ値及び上記選択されたスキャンラインに連結された画素を上記合算値に対応される輝度に駆動させることができる実際測定エネルギ値を各々検出する段階；及び上記検出された２つのエネルギ値を差し引く段階を含むことができる。  
【００２９】
一方、上述した本発明の第２目的を達成するための本発明によるデータ信号駆動制御装置は、ディスプレイパネルのデータラインに供給される駆動電流を制御するデータ信号駆動制御装置において、上記ディスプレイパネルの選択されたスキャンラインに表示される画素データを取得して合算するデータ合算部；上記ディスプレイパネルのスキャンラインが有することができる画素データの合算値に対応される補償時間情報が格納されているルックアップテーブル；及び上記ルックアップテーブルを検索し、上記データ合算部によって合算された合算値に対応される補償時間を検出し、上記検出された補償時間を反映して上記データラインに供給される駆動電流の放電区間及び最大増幅区間のうち少なくともいずれか一つを調整するデータ制御ロジック部を含む。  
【００３０】
上述した本発明の第２目的を達成するための本発明による他のデータ信号駆動制御装置は、ディスプレイパネルのデータラインに供給される駆動電流を制御するデータ信号駆動制御装置において、上記ディスプレイパネルの選択されたスキャンラインに表示される画素データを取得して合算するデータ合算部；上記ディスプレイパネルのスキャンラインが有することができる画素データの合算値に対応される補償時間情報を提供する補償時間提供部；及び上記データ合算部によって合算された合算値に対応される補償時間を上記補償時間提供部から提供され、上記補償時間を反映して上記データラインに供給される駆動電流の放電区間及び最大増幅区間のうち少なくともいずれか一つを調整するデータ制御ロジック部を含む。  
【００３１】
このとき、上記補償時間提供部は、上記スキャンラインで発生できるチャネル干渉による損失を補償できる補償エネルギを算出し、上記算出された補償エネルギに対応する補償時間を提供できる。  
【発明の効果】
【００３２】
以上、説明した通り、本発明によればディスプレイパネルの駆動時に発生できるチャネル干渉現象をそれぞれのスキャンライン別に放電区間または最大増幅区間の時間を制御して補償することによって、従来にチャネル干渉の補償のために発生した回路大きさの増加などのような問題が解決できる。また、別途のハードウェアの追加無しにソフトウェア的な方法でチャネル干渉の補償が可能であるため経済性側面でも有利な長所がある。  
【発明を実施するための最良の形態】
【００３３】
以下、本発明が属する分野において通常の知識を有する者が本発明を容易に実施できるように本発明の望ましい実施例を添付図面を参照して詳細に説明する。また、図面に例示されている本発明の望ましい実施例を説明するにおいて、内容の明瞭性のために特定の技術用語を使用するようになる。然しながら、本発明はこのような選択された特定用語に限定されることなく、それぞれの特定用語が類似の目的を達成するために類似の方式で動作する全ての技術同意語を含むことを明らかにする。  
【００３４】
図４は本発明の望ましい実施例によるデータ信号駆動制御装置が備えられたディスプレイ装置を示すブロック図であって、受動型ＯＬＥＤディスプレイ装置に適用された形態を示している。  
【００３５】
図４に示されているように、ＯＬＥＤディスプレイ装置は画面メモリ（２００）を備えることができる。画面メモリ（２００）にはディスプレイしようとするフレーム画面による画素データがスキャンライン（Ｓ１〜Ｓｍ）別に格納される。例えば、一つのフレーム画面が有する画素データはディスプレイパネルの画素（Ｐ）と一対一に一致するため、画面メモリ（２００）にはｍ×ｎ個の画素データがｍ個のスキャンライン（Ｓ１〜Ｓｍ）別に格納されることができる。このとき、各スキャンライン（Ｓ１〜Ｓｍ）はｎ個の画素データを有することができるものである。  
【００３６】
一方、このように格納されたスキャンライン（Ｓ１〜Ｓｍ）別の画素データはスキャンライン（Ｓ１〜Ｓｍ）の順次な選択によってデータ信号駆動制御装置（１００）で提供されることができる。  
【００３７】
スキャン駆動部（４００）は、外部から印加されるｍビットのスキャン信号に応答してｍ個のスキャンライン（Ｓ１〜Ｓｍ）を最初からｍ番目まで順次駆動する。すなわち、選択されたスキャンライン（Ｓ１〜Ｓｍ）を一つずつ活性化させることである。  
【００３８】
データ信号駆動制御装置（１００）は、上記スキャンライン（Ｓ１〜Ｓｍ）の選択に動機化され、画面メモリ（２００）に格納された画素データをスキャンライン（Ｓ１〜Ｓｍ）別に順次提供され、データ駆動部（３００）にｎビットのデータ制御信号（Ｃｔｒｌ１〜Ｃｔｒｌｎ）を印加する。すなわち、データ駆動部（３００）に設けられたｎ個のデータ信号駆動回路（ＤＣ１〜ＤＣｎ）を制御することである。  
【００３９】
このとき、データ制御信号（Ｃｔｒｌ１〜Ｃｔｒｌｎ）は、データ信号駆動回路（ＤＣ１〜ＤＣｎ）によって該当データライン（Ｄ１〜Ｄｎ）へ供給される駆動電流の放電区間、最大増幅区間及びデータ区間を制御できる信号である。従って、ｎ個のデータライン（Ｄ１〜Ｄｎ）にはデータ制御信号（Ｃｔｒｌ１〜Ｃｔｒｌｎ）の制御によって一定のシークエンスの駆動電流が供給されることができ、その駆動電流によって活性化されたスキャンライン（Ｓ１〜Ｓｍ）に連結された画素（Ｐ）が発光するようになる。  
【００４０】
一方、データ信号駆動制御装置（１００）は、順次選択されるそれぞれのスキャンライン（Ｓ１〜Ｓｍ）別にｎ個ずつの画素データを取得し、その取得された画素データのエネルギ情報を用いて該当スキャンライン（Ｓ１〜Ｓｍ）に発生できるチャネル干渉を補償するための補償時間を検出した後、検出された補償時間を反映して上記選択されたスキャンライン（Ｓ１〜Ｓｍ）の画素（Ｐ）へ供給される駆動電流の放電時間または最大増幅時間を調整する。  
【００４１】
図５は本発明の望ましい実施例によるデータ信号駆動制御装置（１００）の詳細構成を示すブロック図であって、図４に示されている多数のデータ信号駆動回路（ＤＣ１〜ＤＣｎ）のうちいずれか一つのデータ信号駆動回路にデータ制御信号を印加する例を示している。  
【００４２】
図５に示されているように、データ信号駆動制御装置（１００）はデータ合算部（１１０）、補償時間提供部（１２０）及びデータ制御ロジック部（１０１）を備える。
【００４３】
データ合算部（１１０）は画面メモリ（２００）から選択されたスキャンライン（Ｓ）にディスプレイされる画素データを取得して合算する。このとき、画素データの合算とは、上記スキャンライン（Ｓ）に表示される画素（Ｐ）のグレーレベル値を合算することを意味できる。従って、画素データの合算値が算出されれば実際に該当スキャンライン（Ｓ）に連結された画素（Ｐ）を駆動させるために必要な総エネルギ情報を得ることができる。
【００４４】
補償時間提供部（１２０）はスキャンライン（Ｓ）の画素データ合算値によって上記選択されたスキャンライン（Ｓ）に発生するチャネル干渉を補償できる補償時間を提供する機能を遂行する。補償時間提供部（１２０）はルックアップテーブル（ＬＵＰ：Ｌｏｏｋ  Ｕｐ  Ｔａｂｌｅ）またはロジック形態に具現されることができ、駆動ＩＣに基本的に備えられている演算回路またはメモリの一部を使用することができる。  
【００４５】
データ制御ロジック部（１０１）は既設定された時間によってデータ信号駆動回路（ＤＣ）にデータ制御信号（Ｃｔｒｌ）を印加する機能を基本的に有する。このとき、データ制御信号（Ｃｔｒｌ）は設定された時間によってデータ駆動回路（ＤＣ）の放電駆動回路（７１）、最大増幅駆動回路（７２）及びデータ区間駆動回路（７３）を順次選択する信号である。すなわち、データ制御信号（Ｃｔｒｌ）は選択スイッチ（７４）を  を調整することができる。  
【００４６】
このとき、データ制御ロジック部（１０１）は上記データ制御信号（Ｃｔｒｌ）を印加するにおいて、スキャンライン別補償時間によって放電駆動回路（７１）または最大増幅駆動回路（７２）の選択時間を調整することができる。すなわち、データ制御ロジック部（１０１）はデータ合算部（１１０）によって合算された合算値に対応する補償時間を補償時間提供部（１２０）から検出した後、該当補償時間によって駆動電流の放電時間または最大増幅時間を調整する。  
【００４７】
図６は図５に示されているデータ信号駆動制御装置（１００）の動作フローを示すフローチャートであって、本発明の望ましい実施例によるチャネル干渉補償方法を示している。併せて、以下の動作フロー説明を通じて上記言及した各構成要素の機能も更に明確に開示されることができる。  
【００４８】
図５ないし図６を参照すれば、まず画面メモリ（２００）において一つのスキャンライン（Ｓ）が選択されれば（段階：Ｓ１）、該当スキャンライン（Ｓ）の画素データはデータ駆動回路（ＤＣ）のデータレジスタ（７０）に格納されると共にデータ合算部（１１０）に提供されている。  
【００４９】
画面メモリ（２００）からデータ合算部（１１０）に画素データが転送されれば、データ合算部（１１０）はその画素データを合算する（段階：Ｓ２）。例えば、画面の規格、すなわち、ディスプレイパネルの規格が８Ｘ８（ｎ＝８、ｍ＝８）であり、画素が２ビットデータ、すなわち、０、１、２、３のグレーレベルを有することができると仮定し、上記選択されたスキャンラインの画素データが各々０、１、２、１、２、３、３、０であるとすればデータ合算部（１１０）によって合算された値は"１２"になることができる。  
【００５０】
次いで、データ制御ロジック部（１０１）は上記合算値をデータ合算部（１１０）から転送された後、その合算値に対応される補償時間を補償時間提供部（１２０）から検出する（段階：Ｓ３）。このとき、上記補償時間は補償時間提供部（１２０）によって演算によって算出されるか、またはルックアップテーブル形態に提供されることができる。望ましくは、データ処理の迅速性及びロジックの簡略性側面ではルックアップテーブル形態が更に有利である。  
【００５１】
補償時間を算出するためには特定スキャンラインで発生するチャネル干渉を補償するための補償エネルギを算出すべきである。このとき、補償エネルギは特定の一つのスキャンラインに連結された画素を所定の輝度に発光させるために必要な理論的なエネルギ値でそのスキャンラインに連結された画素を上記輝度に発光させる時、実際に測定されるエネルギ値を差し引いた値になることができる。  
【００５２】
これを式で表現すれば次の数２の通りである。  
【数２】
2007293330.tif 000004
Ｔｅｎｅｒｇｙ（Ｋ）：スキャンラインに連結された画素を所望のグレーレベル（Ｇｒａｙ  Ｌｅｖｅｌ）Ｋだけ発光させることに必要な理論的な総エネルギ。  
Ｅｅｎｅｒｇｙ（Ｋ）：スキャンラインに連結された画素をグレーレベルＫだけ発光させることに必要な実際に測定された総エネルギ。  
Ｃｅｎｅｒｇｙ（Ｋ）：補償エネルギ。  
α（Ｋ）：ディスプレイパネル輝度の非線形的特性補正変数、これはディスプレイパネルの特性、実測総エネルギ及び駆動ＩＣの駆動能力によって適切に設定されることができる。上記α（Ｋ）は"０≦α（Ｋ）≦Ｔｅｎｅｒｇｙ（Ｋ）−Ｔｅｎｅｒｇｙ（Ｋ−１）"の範囲を有する。  
【００５３】
上記数２を通じて分かるように、理論的な総エネルギと実測された総エネルギは差異を有する。なぜならば、スキャンラインにはチャネル干渉によるエネルギ損失が発生できるためである。このようなエネルギ損失は補償エネルギ"Ｃｅｎｅｒｇｙ（Ｋ）"で表現されることができる。従って、補償時間提供部にはスキャンラインの画素が有する補償エネルギが輝度値に対応されて予め格納されることができる。  
【００５４】
例えば、画面の規格が８Ｘ８（ｎ＝８、ｍ＝８）であり、各画素が０、１、２、３のグレーレベルを有することができ、特定補正変数α（Ｋ）は０と仮定すれば、一つのスキャンラインが有する８個の画素のグレーレベルの和は最小０から最大２４（＝３Ｘ８）までの値を有することができる。すなわち、Ｋの範囲は０から２４までになる。  
【００５５】
このとき、理解の便宜のために"Ｅｅｎｅｒｇｙ（Ｋ）＝Ｋ"と仮定すれば補償エネルギは次の通り設定されることができる。  
１．０：０≦Ｅｅｎｅｒｇｙ（Ｋ）＜１１  
２．０．２５：１２≦Ｅｅｎｅｒｇｙ（Ｋ）＜１６  
３．０．５：１７≦Ｅｅｎｅｒｇｙ（Ｋ）＜２０  
４．０．７５：２１≦Ｅｅｎｅｒｇｙ（Ｋ）＜２４  
ここでデータ合算部（１１０）によって合算された画素データの和が"１２"の値を有すれば補償エネルギは０．２５になる。  
【００５６】
このように求められた補償エネルギは放電時間を上記補償エネルギを補償できる所定の補償時間だけ縮めて駆動電流の供給をもう少し増やすことによって、補償可能である（段階：Ｓ４）。すなわち、データ駆動回路（ＤＣ）の放電駆動回路（７１）が動作する区間である放電時間は基準放電時間で補償時間の絶対値を差し引いた時間に対応できる。これは次の数３のように表現されることができる。  
【数３】
2007293330.tif 000005
Ｔｄｉｓｃ＿Ｒ：基準放電時間  
Ｔｄｉｓｃ＿Ｃ：補償時間（絶対値）  
ＳＣｔｒｌ＿ｄｉｓｃ：調整された放電時間  
【００５７】
上記数３でのように調整された放電時間ＳＣｔｒｌ＿ｄｉｓｃは基準放電時間Ｔｄｉｓｃ＿Ｒで補償時間Ｔｄｉｓｃ＿Ｃを差し引いた関数で算出できる。従って、０．２５の補償エネルギを補償できる補償時間が１ｔｉｍｅ  ｕｎｉｔであり、基準放電時間が１０ｔｉｍｅ  ｕｎｉｔであれば、補償時間が反映された時間は９ｔｉｍｅ  ｕｎｉｔになる。
【００５８】
このような過程（段階：Ｓ４）は、スキャンライン（Ｓ）の画素データの合算値による補償時間をデータ制御ロジック部（１０１）で補償時間提供部（１２０）に要請すれば補償時間提供部（１２０）が上述した数２、３に基づいて補償時間を算出して提供することもでき、スキャンライン（Ｓ）が有することができる総エネルギ値による補償時間を補償時間提供部（１２０）がルックアップテーブル形態に格納しながらデータ制御ロジック部（１０１）の要請によって提供することもできる。  
【００５９】
一方、上記補償エネルギは最大増幅時間を所定の補償時間だけ増やし駆動電流の供給をもう少し増やすことによっても補償が可能である（段階：Ｓ４）。この場合、データ駆動回路（ＤＣ）の最大増幅駆動回路（７２）が動作する区間である最大増幅時間は基準最大増幅時間で補償時間の絶対値を加えた時間に対応できる。これは次の数４のように表現される。  
【数４】
2007293330.tif 000006
Ｔｐｅａｋ＿Ｒ：基準最大増幅時間  
Ｔｐｅａｋ＿Ｃ：補償時間（絶対値）  
ＳＣｔｒｌ＿ｐｅａｋ：調整された最大増幅時間  
【００６０】
上記数４でのように調整された最大増幅時間ＳＣｔｒｌ＿ｐｅａｋは基準最大増幅時間Ｔｐｅａｋ＿Ｒで補償時間Ｔｐｅａｋ＿Ｃを差し引いた関数で算出できる。従って、０．２５の補償エネルギを補償できる補償時間が１ｔｉｍｅ  ｕｎｉｔであり、基準最大増幅時間が１０ｔｉｍｅ  ｕｎｉｔであれば、補償時間が反映された時間は１１ｔｉｍｅ  ｕｎｉｔになることができる。  
【００６１】
このような過程（段階：Ｓ４）も上記と同様に、スキャンライン（Ｓ）の画素データの合算値による補償時間をデータ制御ロジック部（１０１）で補償時間提供部（１２０）に要請すれば補償時間提供部（１２０）が上述した数２、４に基づいて補償時間を算出して提供することもでき、スキャンライン（Ｓ）が有することができる総エネルギ値による補償時間を補償時間提供部（１２０）がルックアップテーブル形態に格納しながらデータ制御ロジック部（１０１）の要請によって提供することもできる。  
【００６２】
一方、演算量を更に縮めるために、補償時間提供部（１２０）が補償時間が反映された放電時間または最大増幅時間をルックアップテーブル形態に直接データ制御ロジック部（１０１）に提供することもできる。  
【００６３】
図７は補償時間が反映された放電時間をルックアップテーブル形態に格納する例を示す例示図であり、図８は補償時間が反映された最大増幅時間をルックアップテーブル形態に格納する例を示す例示図である。  
【００６４】
図７を参照すれば、スキャンラインが有することができる画素の総エネルギ和によって補償時間が反映された放電時間が定義されていることが分かる。従って、この場合、データ制御ロジック部（１０１）はデータ合算部（１１０）によって算出された合算値に対応されるエネルギ総和をルックアップテーブルで検索して放電時間を検出できる。  
【００６５】
例えば、データ合算部（１１０）によって合算された値に対応されるエネルギ総和が１２であれば、ルックアップテーブルに格納された索引１２に対応される放電時間である９ｔｉｍｅ  ｕｎｉｔが検出できる。  
【００６６】
また、図８を参照すれば、スキャンラインが有することができる画素の総エネルギ和によって補償時間が反映された最大増幅時間が定義されていることが分かる。従って、この場合、データ制御ロジック部（１０１）はデータ合算部（１１０）によって算出された合算値に対応されるエネルギをルックアップテーブルで検索して最大増幅時間を検出できる。  
【００６７】
例えば、データ合算部（１１０）によって合算された値に対応されるエネルギ総和が１２であれば、ルックアップテーブルに格納された索引１２に対応される最大増幅時間である１１ｔｉｍｅ  ｕｎｉｔが検出できる。従って、別途の演算無しにも補正された駆動電流であって制御が可能になる。  
【００６８】
このように、データ制御ロジック部（１０１）によって駆動電流の放電区間、最大増幅区間、データ区間を制御できるデータ制御信号がデータ駆動回路（ＤＣ）に伝達されば、スイッチング動作によって放電駆動回路（７１）、最大増幅駆動回路（７２）及びデータ区間駆動回路（７３）が制御された時間によって順にデータライン（Ｄ）と連結されることによってチャネル干渉が解消されたディスプレイ動作が可能になる。  
【００６９】
上記ルックアップテーブルの内容は固定された内容に確定されているか、または駆動回路の初期設定段階で外部（例えば、主題語システム）でダウンロードすることができるため画素の特性によって変更させることができる。  
【００７０】
以上、本発明に対してその望ましい実施例を参照して説明したが、該当技術分野の熟練された当業者は下記の特許請求の範囲に記載された本発明の技術的思想及び領域から外れない範囲内で本発明を多様に修正及び変更させて実施できることを理解することができる。
【００７１】
特に、先に説明した実施例では算出された補償時間を通じて放電時間または最大増幅時間を調整する方法に対して説明したが、更に精密な制御のために放電時間と最大増幅時間を共に調整することができることはもちろんである。従って、本発明の今後の実施例の変更は本発明の技術を外れることができない。  
【図面の簡単な説明】
【００７２】
【図１】通常的な受動型（ＰＭ：Ｐａｓｓｉｖｅ  Ｍａｔｒｉｘ）ＯＬＥＤディスプレイ装置が有する基本構造を示す回路図である。
【図２】開示された従来技術によるＯＬＥＤディスプレイ装置を示す回路図である。
【図３】データ区間駆動回路によって出力される駆動電流の変化を示すグラフである。
【図４】本発明の望ましい実施例によるデータ信号駆動制御装置が備えられたディスプレイ装置を示すブロック図である。
【図５】本発明の望ましい実施例によるデータ信号区間制御装置の詳細構成を示すブロック図である。
【図６】図５に示されているデータ信号区間制御装置の動作フローを示すフローチャートである。
【図７】補償時間が反映された放電時間をルックアップテーブル形態に格納する例を示す例示図である。
【図８】補償時間が反映された最大増幅時間をルックアップテーブル形態に格納する例を示す例示図である。
【符号の説明】
【００７３】
７０    データレジスタ  
７１    放電駆動回路  
７２    最大増幅駆動回路  
７３    データ区間駆動回路  
１００  データ信号駆動制御装置  
１０１  データ制御ロジック  
１１０  データ合算部  
１２０  補償時間提供部  
２００  画面メモリ  
３００  データ駆動部  
４００  スキャン駆動部  
【図１】
2007293330.tif 000007
【図２】
2007293330.tif 000008
【図３】
2007293330.tif 000009
【図４】
2007293330.tif 000010
【図５】
2007293330.tif 000011
【図６】
2007293330.tif 000012
【図７】
2007293330.tif 000013
【図８】
2007293330.tif 000014